(57)【要約】【課題】  常時記録及びイベント記録を行っている記録装置では、イベント記録が多く発生した場合には、十分な容量の常時記録エリアを保持できなかった。  また、複数の記録装置があった場合には、所望の映像が複数の記録装置のどの記録装置に記録されているかを認識する必要があった。  また更に、複数の記録装置があった場合には、記録装置が正常に記録を継続しているか否かを別途備える必要があった。【解決手段】  イベント記録された映像データを、外部記録装置に自動転送することで、常時記録エリアを確保する。  また、複数の記録装置が存在する場合に、それぞれの記録装置の記録状況をテキストデータ等で自動転送する。【選択図】  図２
2008167136.tif 000002
【特許請求の範囲】
【請求項１】
常時記録及び、イベント発生時に映像記録を行う記録装置において、記録領域の有効な確保が可能な映像データ記録装置。
【発明の詳細な説明】
【技術分野】
【０００１】
本発明は、監視カメラ等から得られる映像データを記録するための記録装置に関わり、特に、常時記録とイベント記録を行う記録装置に関する。
【背景技術】
【０００２】
従来の技術を、図１を参照して説明する。図１は、従来の記録装置における記録媒体を示し、記録媒体の記録領域（記録エリア）が、常時記録エリアとトイベント記録エリアに分けられていることを示す図である。記録エリア 1 は記録媒体の全体を示し、常時記録エリア 2 とイベント記録エリア 3 に分かれている。イベント記録エリア 3 には、侵入者を発見した時の映像データを記録する等のイベント記録を行うエリアである。
【０００３】
図１(a) において、常時記録エリア 2 は、記録エリアが無くなった場合、時間的に古い映像データが記録されているエリアから順番に、新しい映像データで上書きされるようになっている。
【０００４】
しかし、イベント記録エリア 3 には、侵入者を発見した時の映像データ等、重要な画像が映像データとして記録されていることが多い。このため、上書きされない様に設定されており、記録装置を操作する操作者等の管理者が、意識的に削除するまで画像は保存されたままになる。
【０００５】
この場合、イベント記録を実行していって、イベント記録エリア 3 がすべて使用されてしまった（イベント発生時の映像データでイベント記録エリア 3 がすべて書き込まれた状態となった）場合には、常時記録エリア 2 を新たにイベント記録エリア 3 として使用し、イベント記録エリア 3 のデータ要領を増やして確保する。ここで、図１(b) の 4 は、一回のイベント記録毎に使用される（書込みに必要な）記録エリアの大きさを示す個別のイベント記録エリアである。
【０００６】
これにより、図１(b )に示すように、常時記録エリア 2 が、イベント記録に使用された常時記録エリア 5 のデータ容量の分少なくなり、使用開始時に定めていた映像データの記録ができなくなる。即ち、図１(a) のイベント記録エリア 3 が、図１(b) のイベント記録エリア 3′のように増える。そしてその替わりに、図１(a) の常時記録エリア 2 が、図１(b) の常時記録エリア 2′のように減少する。従って、設定当初、管理者あるいは操作者が期待していた時間（あるいは日数）の映像データを常時記録することができなくなる。
【０００７】
更に、従来の技術では、記録装置が複数存在するときに、所望の記録映像を確認しようとした場合、その所望の映像が複数の記録装置のどの記録装置に記録されているか操作者が認識する必要があり、接続系統等の把握や、確認を必要とする。
【０００８】
また、記録装置が複数存在するときに、記録装置が正常に記録を継続しているか否かを確認するには、記録装置に記録された映像データ、即ち記録画像を確認する必要がある。また、監視カメラが記録装置とネットワーク網を介して結合されている場合には、SNMP（ Simple Network Management Protocol ）等のネットワーク管理プロトコルを用いて、別途監視する必要がある。
即ち、記録装置の状況を確認するために別に動作確認用ソフト、プロトコル、装置等を備える必要があった。
【０００９】
【特許文献１】特開２００６−１１５４１２号公報
【特許文献２】特開２００５−１７６０３０号公報
【発明の開示】
【発明が解決しようとする課題】
【００１０】
上述のように、従来、常時記録及びイベント記録を行っている記録装置では、イベント記録が多く発生した場合には、十分な容量の常時記録エリアを保持できなかった。
また、従来技術では、複数の記録装置があった場合には、所望の映像が複数の記録装置のどの記録装置に記録されているかを認識する必要があった。
また更に、従来技術では、複数の記録装置があった場合には、記録装置が正常に記録を継続しているか否かを別途備える必要があった。
【００１１】
イベント記録が多く発生した場合でも、常時記録エリアを確保し、運用開始時に期待した記録時間、日数を記録できることを目的としている。
また本発明の目的は、上記のような問題を解決するため、記録装置が複数存在する場合でも、操作者または管理者が、どの映像データがどの記録装置に記録されているかを意識しないで一元管理し、記録画像の確認等ができることを目的にしている。
また更に、本発明の目的は、上記のような問題を解決するため、記録装置が複数存在する場合、記録装置の状況を確認するために別に準備していた動作確認用ソフト、プロトコル、装置等を削減することを目的とする。
【課題を解決するための手段】
【００１２】
上記の目的を達成するため、本発明の映像データ記録装置は、イベント記録された映像データを、外部記録装置に自動転送することで、常時記録エリアを確保するものである。
また、本発明の映像データ記録装置は、複数の記録装置が存在する場合に、それぞれの記録装置の記録状況をテキストデータ等で自動転送するものである。
更に、本発明の映像データ記録装置は、記録装置が複数存在する場合に、記録装置のどれに所望の画像データが記録されているかを認識せずに記録画像の確認、保存等を可能とするものである。
また更に、本発明の映像データ記録装置は、各機器の記録状況を確認し、記録の異常を検出することを可能とするものである。
【発明の効果】
【００１３】
以上のように、本発明によれば、常時記録エリアを常に確保し、運用開始当初の記録時間、日数を確保記録することができる。また、記録装置の状況データ等を転送することで、操作者が複数の記録装置を意識することなく運用でき、更に、記録装置からのこれらのデータにより故障の検知が可能となる。
【発明を実施するための最良の形態】
【００１４】
図２を参照して、本発明の一実施例を説明する。図２は、本発明の使用した映像データ記録装置の構成を示すブロック図である。
図２によって、常時記録エリアを確保するための一実施例を説明する。6-1 〜 6-n はそれぞれカメラ装置である（ n は２以上の自然数）。カメラ装置6-1 〜 6-n は、例えば、TV カメラ装置である。
【００１５】
図２において、カメラ装置 6-1 〜 6-n は、常時、監視エリア内の映像を取得し、記録装置 7 に出力している。
【００１６】
センサ部 8 は、予め監視エリア内の異常や物体を検知するように少なくとも１つ設置されている。異常を検知する手段としては、例えば、音を入力し所定の大きさ以上の大きな音を検知した時に報知する音センサ、温度を測定し所定の温度以上の温度を検知した時に報知する温度センサ、フェンス等に物体が接触または力が加わったことを検知した時にと報知するフェンスセンサ、等である。
【００１７】
またセンサ部 8 は、それぞれの検知手段に対応するカメラ装置を関連づけておき、所定の検知手段の報知に応じて該当するカメラ装置の映像データを記録装置 7 が記録するように識別する情報をイベント記録指示信号の中に含んでいるか、又は、検知手段に応じたイベント記録指示信号若しくは該当するカメラ装置に応じたイベント記録指示信号を、記録装置 7 に出力する。
センサ部 8 は、予め監視エリア内の異常を検知するように少なくとも１つの検知手段を監視エリア内に設置している。
なお、上述の実施例では、センサ部 8 が、それぞれの検知手段に対応するカメラ装置を関連づけの情報を有しているが、記録装置 7 に関連づけの情報を有していても良く、更にセンサ部 8 と記録装置 7 が両方有していても良い。
【００１８】
記録装置 7 は、センサ 8 から入力されたイベント記録信号9 に基づいて、カメラ装置 6-1 〜 6-n が撮像し、映像信号として出力した映像の少なくとも１つのカメラ装置の映像データを記録する。
即ち、記録装置 7 は、センサ 8 からのイベント記録信号をトリガとして、トリガが入力された時刻の所定時刻前から所定時刻経過する一定時間に、センサ 8 に対応するカメラ装置が取得した映像データを映像データとして記録する。
【００１９】
記録装置 7 は、一定時間のイベント記録を行った後、センター記録装置 10 にイベント記録画像データ 11 、映像番号 12 、及び、記録装置 7 を識別するための記録装置番号13 、等を転送する。記録装置 7 とセンター記録装置 10 とは、ネットワーク網を介して結合されている。
また、カメラ装置 6-1 〜 6-n と記録装置 7 間、センサ部 8 と各検知手段間、及び、センサ部 8 と記録装置 7 間の少なくとも１つがネットワーク網（例えば、無線 LAN（ Local Area Network ）等）で結合されていても良い。
【００２０】
センター記録装置 10 は、イベント記録画像データを受信した場合に、受信した記録画像データ 11 、映像番号 12 、及び、記録装置番号 13 を関連づけして保存する。保存場所は、センター記録装置 10 内の記録装置あるいは外部記録装置である。
【００２１】
これにより、イベント記録が多く発生しても、記録装置 7 の記録エリア 1 の常時記録エリア 2 は、イベント記録に使用された常時記録エリア 5 として使用されることなく、記録時間、記録日数を確保することができる。
【００２２】
図３は、記録装置が複数存在する場合に、記録装置を一元管理するための実施例を説明するための図である。図３によって、センター装置に記録状況データを転送することを説明する。
図３では、記録装置に結合されたカメラ装置やセンサ部を省略している。
【００２３】
図３において、記録装置 14-1 〜 14-m は、それら複数の記録装置 14-1 〜 14-m を一元管理するセンター記録装置 15 に結合されている。記録装置 14-1 〜 14-m は、映像番号、記録状況等のテキストデータをセンター記録装置 15 に転送する。
【００２４】
これにより操作者又は管理者が、任意の記録装置の画像を確認しようとした場合、センター記録装置15 が記録装置番号等を認識しているため、センター記録装置 15 が任意の個別の記録装置に接続を行うので、操作者又は管理者は、各々の記録装置を意識する必要が無く操作性が向上する。
また、複数の記録装置 14-1 〜 14-m から送られてくる映像番号、記録状況等のデータより、記録装置 14-1 〜 14-m のどれかが故障をしているか記録装置に入力されている画像信号を正常に受信されているか否かを検知できるため、故障等の検知ができる。
【００２５】
図４は、本発明の別の実施例を示す図で、記録装置 14-1′〜 14-m′がセンター記録装置 15 と WAN（ Wide Area Network ）等のネットワーク網 16 で結合されているものである。
【００２６】
本実施例の記録装置は、カメラ等のアナログ映像信号、SDI（ Serial Digital Interface ）信号、及び、コーデック等で符号化されたデジタル信号で可能である。
【００２７】
上記実施例によれば、常時記録エリアを確保し、運用開始当初の記録時間、日数を確保記録することができる。また、記録装置の状況データ等を転送することで、操作者が複数の記録装置を意識することなく運用でき、更に、記録装置からのこれらのデータにより故障の検知が可能となる。
【図面の簡単な説明】
【００２８】
【図１】従来の記録装置の常時記録、イベント記録エリアを説明するための図。
【図２】本発明の一実施例を説明するための図。
【図３】本発明の一実施例を説明するための図。
【図４】本発明の一実施例を説明するための図。
【符号の説明】
【００２９】
1：記録エリア、  2，2′：常時記録エリア、  3，3′：イベント記録エリア、  4：個別のイベント記録エリア、  5：イベント記録に使用された常時記録エリア、  6-1〜6-n：カメラ装置、  7：記録装置、  8：センサ部、  9：イベント記録指示信号、  10：センター記録装置、  11：イベント記録画像データ、  12：映像番号、  13：記録装置番号、  14-1〜14-m，14-1′〜14-
m′：記録装置、  15：センター記録装置、  16：ネットワーク網。
【図１】
2008167136.tif 000003
【図２】
2008167136.tif 000004
【図３】
2008167136.tif 000005
【図４】
2008167136.tif 000006